(57)【要約】      （修正有）【課題】解体の場合にはスプーンとフォークとして独立して使用することができ、組み立ての場合には落ちにくい食品クリップとして使用することができる、組み立て式食器構造を提供する。【解決手段】第１の食器部材１０と第２の食器部材２０とを含む組み立て式食器構造であって、該第１の食器部材１０及び第２の食器部材２０はそれぞれ弧形グリップ１１及び食器ヘッド１３を有し、該第１の食器部材１０に第１の組み立て部１２及び係合孔１２０が設けられている。該第２の食器部材２０に第２の組み立て部２２及びＴ形係止部２２０が設けられている。該Ｔ形係止部２２０が係合孔１２０に挿入され所定の角度に形成された後、該Ｔ形係止部２２０が離脱不能となるため、該第１の食器部材１０と第２の食器部材２０とは結合される。【選択図】図１
0003195237.tif 000002
【実用新案登録請求の範囲】
【請求項１】
弧形グリップを有し、前記弧形グリップの一端に係合孔を有する第１の組み立て部が設けられ、前記弧形グリップの他端が第１の食器ヘッドとして構成されている第１の食器部材と、
弧形グリップを有し、前記弧形グリップの一端にＴ形係止部を有する第２の組み立て部が設けられ、前記弧形グリップの他端が第２の食器ヘッドとして構成されている第２の食器部材と、
を備え、
前記第１の組み立て部が第２の組み立て部に対応した場合、前記Ｔ形係止部及び係合孔の形状は、所定の角度に形成されており、
前記Ｔ形係止部が係合孔を通した後に係合孔に離脱不能に係止するため、第１の食器部材と第２の食器部材とは着脱可能に組み立てられることを特徴とする組み立て式食器構造。
【請求項２】
前記Ｔ形係止部は、長尺状突出ヘッドと係止柱とからなり、前記長尺状突出ヘッドと前記第２の組み立て部との隙間は、前記第１の組み立て部の厚みと等しいことを特徴とする請求項１に記載の組み立て式食器構造。
【請求項３】
前記第１の食器ヘッド及び第２の食器ヘッドは、それぞれスプーン又はフォーク等の食器造形であることを特徴とする請求項１に記載の組み立て式食器構造。
【考案の詳細な説明】
【技術分野】
【０００１】
本考案は、組み立て式食器構造に関し、特に独立して使用可能または組み立てて使用可能な食器構造に関するものである。
【背景技術】
【０００２】
幼児に良好的な食事習慣を身につけさせるとともに手部の動作の発展を増進させるためには、幼児が自ら食器で食事するようにすることは、極めて生活的な訓練である。しかしながら、幼児の手部の筋肉の発展や動作の協調性がまだ不十分であり、箸等を使用するような繊細な動作が難しいため、幼児が自ら食事するようにするためには、手にスプーン又はフォークを握らせるのは理想的なやり方と考えられる。しかしながら、幼児の動作バランスが不十分であるため、食べ物やスープが食器から落ちることがあり、極めて浪費である。従って、幼児に箸の代わりに食品クリップを使わせるのも選択の一種である。
【０００３】
食品クリップとは、対称的な２つのグリップを有するクリップである。２つのグリップは、結合端から外方へ所定の角度だけ拡開され、Ｖ字形となっている。手部が２つのグリップに同時に力を印加した場合、グリップの２つの端部は、挟持作用として機能する。これにより、グリップを握り続けていれば、食べ物をしっかりクリップすることができる。しかしながら、上記のように、幼児の手部の制御能力がまだ不十分であるため、握り力が不足している場合、Ｖ字形の食品クリップは、幼児の手から落ち易くなり、使用上の利便性が欠けている。
【考案の概要】
【考案が解決しようとする課題】
【０００４】
そこで、本考案が解決しようとする技術課題は、解体の場合にはスプーンとフォークとして独立して使用することができ、組み立ての場合には落ちにくい食品クリップとして使用することができる、組み立て可能な幼児食器構造を提供することにある。
【課題を解決するための手段】
【０００５】
本考案は、第１の食器部材と第２の食器部材とを含む組み立て式食器構造を提供する。該第１の食器部材は、弧形グリップを有し、該弧形グリップの一端に第１の組み立て部が設けられ、該第１の組み立て部に係合孔が設けられ、該弧形グリップの他端が食器ヘッドとして構成されている。該第２の食器部材は、弧形グリップを有し、該弧形グリップの一端に第２の組み立て部が設けられ、該第２の組み立て部にＴ形係止部が設けられ、該弧形グリップの他端が食器ヘッドとして構成されている。第１の組み立て部が第２の組み立て部に対応した場合、該Ｔ形係止部及び係合孔の形状は、所定の角度に形成されている。これにより、該Ｔ形係止部が係合孔を通した後、第１の食器部材または第２の食器部材を第１の組み立て部が第２の組み立て部に対応するように回転させた場合にに係合孔に離脱不能に係止するため、第１の食器部材と第２の食器部材とは強固に結合される。
【考案の効果】
【０００６】
本考案に係る組み立て式食器構造によれば、幼児の把持時の利便性が向上し、２つの食器部材が組み立てされた後に形成された食品クリップが外方へ弧状に突出するグリップを有するため、食品クリップが手から落ちる可能性が大幅に低下する。
【図面の簡単な説明】
【０００７】
【図１】本考案に係る組み立て式食器構造の分解模式図である。
【図２】本考案に係る組み立て式食器構造の組み立て模式図である。
【図３】本考案に係る組み立て式食器構造の組み立て動作模式図である。
【図４】本考案に係る組み立て式食器構造を手で握る場合の位置模式図である。
【考案を実施するための形態】
【０００８】
本考案に係る組み立て式食器構造の特徴、効果、及びその他の利点がより容易に理解できるように、図面を参照ながら好ましい実施例を詳しく説明する。
【０００９】
図１〜２に示すように、本考案に係る組み立て式食器構造は、第１の食器部材１０と、第２の食器部材２０とを含み、第１の食器部材１０及び第２の食器部材２０は、独立して使用してもよいが、組み立てて使用してもよい。第１の食器部材１０は、弧形グリップ１１を有し、弧形グリップ１１の一端に第１の組み立て部１２が設けられ、第１の組み立て部１２に縦の係合孔１２０が設けられ、弧形グリップ１１の他端が食器ヘッド１３として構成されている。第２の食器部材２０は、弧形グリップ２０を有し、造形が弧形グリップ１１と類似している。弧形グリップ２０の一端に第２の組み立て部２２が設けられ、第２の組み立て部２２にＴ形係止部２２０が設けられ、Ｔ形係止部２２０は、長尺状突出ヘッド２２１と係止柱２２３とからなり、長尺状突出ヘッド２２１と第２の組み立て部２２との間には隙間２２２が設けられている。長尺状突出ヘッド２２１の断面形状は、係合孔１２０に対応し、隙間２２２は、第１の組み立て部１２の厚みと等しい。弧形グリップ２０の他端は、食器ヘッドとして構成されている。ここで説明しておきたいのは、食器ヘッド１３、２３は、必要に応じてスプーン又はフォーク等の食器造形を構成することができる。
【００１０】
図３に示すように、第１の組み立て部１２が第２の組み立て部２２に対応した場合に、長尺状突出ヘッド２２１及び係合孔１２０の形状は、所定の角度に形成されている。従って、Ｔ形係止部２２０は、所定の角度で係合孔１２０を通した後、第１の食器部材１０及び／または第２の食器部材２０を第１の組み立て部１２が第２の組み立て部２２に対応するように回転させた場合に、係合孔１２０に離脱不能に係止し、このため、第１の食器部材１０と第２の食器部材２０とは強固に結合されるようになる。
【００１１】
図１に示すように、本考案に係る第１の食器部材１０及び第２の食器部材２０が独立して使用された場合に、スプーン又はフォーク等の機能を有する独立食器である。弧形グリップ１１、２１は、従来の食器の長尺状造形と異なり、幼児が手で容易に把持できるため、脱落しにくくなる。図４は、本考案に係る第１の食器部材１０と第２の食器部材２０とが食品クリップ３０として組み立てられた場合、手Ｈが弧形グリップ１１、２１を握る実施態様を示す。第１の食器部材１０と第２の食器部材２０とが組み立てられた後、弧形グリップ１１、２１は、所定の角度だけ外方へ拡開している。外方へ弧状に突出する弧形グリップ１１、１２は、造形が手Ｈの弧度に合致しているため、食品クリップ３０が手Ｈ内に密着することに寄与する。従って、手の握り力が不十分であっても、食品クリップ３０が手から落ちることはなく、従来のＶ形食品クリップが手から落ちやすい欠点を解決することができる。
【００１２】
本考案に係る組み立て式食器構造は、結合が強固であり、使用過程において分離によって食品クリップの機能に影響を及ぼすことはなく、食品クリップが分離してもそれぞれ独立して使用可能であるため、全体的には、幼児の食事時の利便性、手の把持安定性が向上する。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、弧形グリップを有し、前記弧形グリップの一端に係合孔を有する第１の組み立て部が設けられ、前記弧形グリップの他端が第１の食器ヘッドとして構成されている第１の食器部材と、弧形グリップを有し、前記弧形グリップの一端にＴ形係止部を有する第２の組み立て部が設けられ、前記弧形グリップの他端が第２の食器ヘッドとして構成されている第２の食器部材と、を備え、前記第１の組み立て部が第２の組み立て部に対応した場合、前記Ｔ形係止部及び係合孔の形状は、所定の角度に形成されており、前記Ｔ形係止部が係合孔を通した後に係合孔に離脱不能に係止するため、第１の食器部材と第２の食器部材とは着脱可能に組み立てられることを特徴とする組み立て式食器構造とするものである。
【００１５】
また、前記Ｔ形係止部は、長尺状突出ヘッドと係止柱とからなり、前記長尺状突出ヘッドと前記第２の組み立て部との隙間は、前記第１の組み立て部の厚みと等しいものとする。
【００１６】
また、前記第１の食器ヘッド及び第２の食器ヘッドは、それぞれスプーン又はフォーク等の食器造形であるものとする。
【産業上の利用可能性】
【００１７】
本考案に係る組み立て式食器構造によれば、幼児の把持時の利便性が向上し、２つの食器部材が組み立てされた後に形成された食品クリップが外方へ弧状に突出するグリップを有するため、食品クリップが手から落ちる可能性が大幅に低下する。
【符号の説明】
【００１８】
１０  第１の食器部材
１１  弧形グリップ
１２  第１の組み立て部
１２０  係合孔
１３  食器ヘッド
２０  第２の食器部材
２１  弧形グリップ
２２  第２の組み立て部
２２０  Ｔ形係止部
２２１  長尺状突出ヘッド
２２２  隙間
２２３  係止柱
２３  食器ヘッド
３０  食品クリップ
Ｈ  手
【図１】
0003195237.tif 000003
【図２】
0003195237.tif 000004
【図３】
0003195237.tif 000005
【図４】
0003195237.tif 000006